(57)【要約】【課題】従来の接着系アンカー用アンカー筋では、先端部分を接着剤攪拌用の斜面としていたため、超音波探傷器で長さ測定をする際に、先端で超音波が軸線方向に反射せず、精度の良い長さ測定を行うことが困難であった。【解決手段】先端部分に接着剤攪拌用の斜面１２を設けた接着系アンカー用アンカー筋１１において、先端部分の斜面１２の一部に、軸線に対して直交する平面部１３を設け、斜面１２により接着剤の主剤と硬化剤を充分に混合し得るものとし、超音波探傷器による埋め込み長さ測定の際には、先端部分の平面部１３により超音波を軸線方向に反射して、高精度な長さ測定を実現する。【選択図】  図１
2005068673.tif 000002
【特許請求の範囲】
【請求項１】
先端部分に接着剤攪拌用の斜面を設けた接着系アンカー用アンカー筋において、先端部分の斜面の一部に、軸線に対して直交する平面部を設けたことを特徴とする接着系アンカー用アンカー筋。
【請求項２】
アンカー筋の軸線に直交する断面積に対して、平面部の面積が１〜２５％であることを特徴とする請求項１に記載の接着系アンカー用アンカー筋。
【発明の詳細な説明】
【０００１】
【発明の属する技術分野】
本発明は、構造物躯体に他の構造物を固定するのに用いられるアンカーボルトに関し、とくに、構造物躯体に形成した穴に接着剤を充填して埋設される接着系アンカー用アンカー筋に関するものである。
【０００２】
【従来の技術】
一般に、接着系アンカー用アンカー筋は、構造物躯体に形成した穴に接着剤を充填してから埋設し、その後の接着剤の硬化により所望の強度を得るものである。このとき、接着剤の充填方式には、主にカプセル型と注入型がある。カプセル型は、接着剤の主剤と硬化剤を定量分離してカプセルに封入し、構造物躯体に形成した穴にカプセルを充填した後、アンカー筋に回転や打撃を与えてカプセルを破砕し、且つ接着剤の主剤と硬化剤を混合させながら同アンカー筋を埋設する方式である。カプセルの形状と内容物の例としては、▲１▼ガラス管から成るカプセルの中に、主剤となる樹脂と硬化剤、及び骨材を収容したタイプや、▲２▼和紙で形成したカプセルの中に、特殊モルタルと細骨材を収容し、使用直前に水に浸してから使用するタイプ等がある。他方、注入型は、構造物躯体に形成した穴に、主剤と硬化剤を混合した接着剤を充填し、又は接着剤の主剤と硬化剤を混合させながら充填し、その後アンカー筋を埋設する方式である。
【０００３】
そして、従来の接着系アンカー用アンカー筋では、とくにカプセル型の充填方式を採用する場合に、先端部分を斜めに切断することで先端部分に接着剤攪拌用の斜面を設けておき、これにより、回転しながら埋設する際に接着剤の主剤と硬化剤を充分に混合し得るようにしていた（例えば、非特許文献１参照）。
【０００４】
【非特許文献１】
広沢雅也・松崎育弘編，『あと施工アンカー設計・施工読本』，株式会社建築技術，１９９１年１２月１日，第２８頁及び第２９頁
【０００５】
【発明が解決しようとする課題】
ところで、上記したような接着系アンカー用アンカー筋では、当然のことながら所望の強度を得るためには所定の埋め込み長さが必要であるが、構造物躯体における穴の成形不良などによって埋め込み長さが不足している場合があることから、施工後に長さ測定を行って構造物の安全を実証する必要性が生じてきている。
【０００６】
このとき、施工後のアンカー筋の長さ測定には、超音波探傷器が用いられている。すなわち、アンカー筋の頭部にセンサを取り付け、その軸線方向に超音波を発信して先端部からの反射波を受信し、発信から受信までの時間とアンカー筋における超音波の伝播速度に基づいてアンカー筋の長さを測定する。
【０００７】
しかしながら、従来の接着系アンカー用アンカー筋にあっては、その先端部分を接着剤攪拌用の斜面としていたため、先端において超音波が軸線方向に反射せず、これにより精度の良い長さ測定を行うことが困難であるという問題点があり、このような問題点を解決することが課題であった。
【０００８】
【発明の目的】
本発明は、上記従来の課題に着目して成されたものであって、接着剤の攪拌機能を備えたうえで、超音波探傷器による長さ測定を高精度に行うことができる接着系アンカー用アンカー筋を提供することを目的としている。
【０００９】
【課題を解決するための手段】
本発明の接着系アンカー用アンカー筋は、請求項１として、先端部分に接着剤攪拌用の斜面を設けた接着系アンカー用アンカー筋において、先端部分の斜面の一部に、軸線に対して直交する平面部を設けたことを特徴としており、接着剤攪拌用の斜面により接着剤の主剤と硬化剤を充分に混合し得るものとし、また、超音波探傷器による長さ測定の際には、先端部分に設けた平面部により超音波を軸線方向に反射して、高精度な長さ測定を実現する。
【００１０】
さらに、本発明の接着系アンカー用アンカー筋は、請求項２として、アンカー筋の軸線に直交する断面積に対して、平面部の面積が１〜２５％であることを特徴としている。なお、平面部の面積を上記の割合としたのは、平面部の面積が１％よりも小さいと平面部から軸線方向への超音波の反射が不充分になり、平面部の面積が２５％よりも大きいと接着剤の攪拌機能が低下する恐れがあるからである。
【００１１】
【発明の効果】
本発明の請求項１に係わる接着系アンカー用アンカー筋によれば、先端部分の斜面の一部に平面部を設けたことにより、接着剤の攪拌機能を確実に備えたうえで、超音波探傷器による長さ測定を高精度に行うことができる。
【００１２】
本発明の請求項２に係わる接着系アンカー用アンカー筋によれば、請求項１と同様の効果を得ることができ、とくに、アンカー筋の軸線に直交する断面積に対して平面部の面積を１〜２５％としたことにより、接着剤の攪拌機能と超音波の反射機能をより良好に両立させることができる。
【００１３】
【実施例】
図１に示す接着系アンカー用アンカー筋１１は、先端部分の全体を斜めに切断することにより接着剤攪拌用の斜面１２を形成したものであり、この斜面１２の中央部に、孔を形成する要領で、軸線に対して直交する平面部１３が形成してある。ここで、平面部１３は、その面積が、当該アンカー筋１１の軸線に直交する断面積に対して１〜２５％の範囲となっている。なお、斜面１２や平面部１３は、切削やプレス（とくに平面部）などの機械加工によって簡単に形成することができる。
【００１４】
上記の接着系アンカー用アンカー筋１１は、従来既知のカプセル型の接着剤充填方式により埋設する。すなわち、例えばコンクリート製の構造物躯体に穴を形成し、穴の内部を清掃した後、接着剤の主剤と硬化剤を定量分離して封入したカプセルを穴に充填する。その後、接着系アンカー用アンカー筋１１は、穴に挿入されて回転及び打撃を受けることによりカプセルを破砕し、また、回転する際に斜面１２により接着剤の主剤と硬化剤を充分に混合させながら埋設され、その後の接着剤の硬化により完全に固定状態となる。
【００１５】
さらに、上記埋設後において、超音波探傷器によりアンカー筋１１の埋め込み長さの測定を行う際には、アンカー筋１１の頭部にセンサを取り付け、その軸線方向に超音波を発信して先端部からの反射波を受信し、発信から受信までの時間と当該アンカー筋１１における超音波の伝播速度に基づいて長さを測定する。この際、接着系アンカー用アンカー筋１１では、先端部分における斜面１２の一部に平面部１３が設けてあるので、この平面部１３によって超音波を軸線方向に反射することができ、これにより高精度な長さ測定を行い得るものとなる。
【００１６】
このように、上記の接着系アンカー用アンカー筋１１では、先端部分の斜面１２の一部に平面部１３を設け、また、当該アンカー筋１１の軸線に直交する断面積に対して平面部１３の面積を１〜２５％としたことにより、埋設時における接着剤の攪拌機能と、埋設後の長さ測定における超音波の反射機能を両立させることができる。
【００１７】
図２に示す接着系アンカー用アンカー筋２１は、先端部分の全体を斜めに切断して接着剤攪拌用の斜面２２を形成すると共に、この斜面２２の中央部を横切る状態で、軸線に対して直交する平面部２３が形成してある。この接着系アンカー用アンカー筋２１にあっても、先の実施例と同様の効果を得ることができる。
【００１８】
図３に示す接着系アンカー用アンカー筋３１は、先端部分の全体を斜めに切断して接着剤攪拌用の斜面３２を形成すると共に、この斜面３２の下端部を水平に切断して、軸線に対して直交する平面部３３が形成してある。この接着系アンカー用アンカー筋３１にあっても、先の実施例と同様の効果を得ることができる。
【００１９】
図４に示す接着系アンカー用アンカー筋４１は、先端部分の両側を斜めに切断して二つの接着剤攪拌用の斜面４２，４２を形成すると共に、両斜面４２，４２が成す辺の全体を水平に切断して、軸線に対して直交する平面部４３が形成してある。この接着系アンカー用アンカー筋４１にあっても、先の実施例と同様の効果を得ることができる。
【００２０】
図５に示す接着系アンカー用アンカー筋５１は、先端部分の両側を斜めに切断して二つの接着剤攪拌用の斜面５２，５２を形成すると共に、両斜面５２，５２が成す辺の中央に孔を形成する要領で、軸線に対して直交する平面部５３が形成してある。この接着系アンカー用アンカー筋５１にあっても、先の実施例と同様の効果を得ることができる。
【００２１】
図６に示す接着系アンカー用アンカー筋９１は、先端部分をＶ字形状に切除することで二つの接着剤攪拌用の斜面９２，９２を形成したものであって、図９（ａ）に示す接着系アンカー用アンカー筋９１では、両斜面９２，９２が成す辺の中央に孔を形成する要領で、軸線に対して直交する平面部９３ａが形成してあり、また、図９（ｂ）に示す接着系アンカー用アンカー筋９１では、両斜面９２，９２が成す辺に沿って、軸線に対して直交する平面部９３ｂが形成してあり、さらに、図９（ｃ）に示す接着系アンカー用アンカー筋９１では、両斜面９２，９２の下端部を水平に切断して、軸線に対して直交する二つの平面部９３ｃ、９３ｃが形成してある。これらの接着系アンカー用アンカー筋８１にあっても、先の実施例と同様の効果を得ることができる。
【００２２】
なお、本発明に係わる接着系アンカー用アンカー筋は、その構成が上記各実施例に限定されるものではなく、埋設時に接着剤を攪拌するための斜面と、超音波探傷器による長さ測定の際に超音波を軸線方向に反射するための平面部を有するものであれば良く、望ましくは、アンカー筋の軸線に直交する断面積に対して平面部１３の面積が１〜２５％の範囲であれば良い。
【００２３】
さらに、図１に示す実施例では、カプセル型の接着剤充填方式を説明したが、それ以下の各実施例を含めて、注入型の接着剤充填方式に適用した場合でも、接着剤の攪拌機能と、超音波探傷器の長さ測定における超音波の反射機能を得ることができる。
【図面の簡単な説明】
【図１】本発明の接着系アンカー用アンカー筋の一実施例を説明する断面図（ａ）、側面図（ｂ）及び正面図（ｃ）である。
【図２】本発明の接着系アンカー用アンカー筋の他の実施例を説明する断面図（ａ）、側面図（ｂ）及び正面図（ｃ）である。
【図３】本発明の接着系アンカー用アンカー筋のさらに他の実施例を説明する断面図（ａ）、側面図（ｂ）及び正面図（ｃ）である。
【図４】本発明の接着系アンカー用アンカー筋のさらに他の実施例を説明する断面図（ａ）、側面図（ｂ）、正面図（ｃ）及び先端部分の端面図（ｄ）である。
【図５】本発明の接着系アンカー用アンカー筋のさらに他の実施例を説明する断面図（ａ）、側面図（ｂ）、正面図（ｃ）及び先端部分の端面図（ｄ）である。
【図６】本発明の接着系アンカー用アンカー筋のさらに他の実施例である三例を示す図であって、正面図（ａ）とその先端部分の端面図（ｂ）、同じく正面図（ｃ）とその先端部分の端面図（ｄ）、同じく正面図（ｅ）とその先端部分の端面図（ｆ）である。
【符号の説明】
１１  ２１  ３１            接着系アンカー用アンカー筋
４１  ５１  ９１            接着系アンカー用アンカー筋
１２  ２２  ３２            斜面
４２  ５２  ９２            斜面
１３  ２３  ３３            平面部
４３  ５３  ９３ａ〜９３ｃ  平面部
【図１】
2005068673.tif 000003
【図２】
2005068673.tif 000004
【図３】
2005068673.tif 000005
【図４】
2005068673.tif 000006
【図５】
2005068673.tif 000007
【図６】
2005068673.tif 000008